【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
ウェアラブル拡張現実頭部搭載型ディスプレイシステムであって、前記システムは、前記頭部搭載型システムを装着している装着者の前方の世界からの光を前記装着者の眼の中に通すように構成され、前記ウェアラブル拡張現実頭部搭載型ディスプレイシステムは、
画像を形成するための光を出力するように構成された光学ディスプレイと、
前記ディスプレイからの光を受け取るように配置された１つ以上の導波管と、
前記１つ以上の導波管を前記眼の前方に配置するように構成されたフレームであって、前記１つ以上の導波管は、前方側および後方側を有し、前記後方側は、前記前方側より前記眼に近く位置付けられている、フレームと、
前記１つ以上の導波管の前記前方側に配置された可変屈折力反射体であって、前記可変屈折力反射体は、電気信号の印加に応じて調節可能な屈折力を有するように構成されている、可変屈折力反射体と、
前記１つ以上の導波管に対して配置された１つ以上の外部結合要素と
を備え、
前記１つ以上の外部結合要素は、前記１つ以上の導波管からの光を抽出し、前記１つ以上の導波管内を伝搬する前記光の少なくとも一部を前記可変屈折力反射体に導き、前記光は、前記可変屈折力反射体から後方へ、前記１つ以上の導波管を通って前記眼の中に入るように向け直され、前記ディスプレイからの画像を前記装着者の前記眼の中に提示する、システム。
【請求項２】
前記光学ディスプレイは、走査ファイバディスプレイまたは液晶ディスプレイを備えている、請求項１に記載のシステム。
【請求項３】
前記可変屈折力反射体は、調節可能形状を有する変形可能反射表面を備えている、請求項１に記載のシステム。
【請求項４】
前記可変屈折力反射体は、前記反射表面を変形させるための電場を印加するために、少なくとも１つの電極を含む、請求項３に記載のシステム。
【請求項５】
前記可変屈折力反射体は、窒化ケイ素を備えている、請求項１に記載のシステム。
【請求項６】
前記可変屈折力反射体は、２つの状態間で切り替えをするように構成された１つ以上の切り替え可能な光学要素を備えている、請求項１に記載のシステム。
【請求項７】
前記２つの状態は、反射の２つのレベルを含む、請求項６に記載のシステム。
【請求項８】
前記２つの状態は、屈折力の２つのレベルを含む、請求項６に記載のシステム。
【請求項９】
前記２つの状態は、透過の２つのレベルを含む、請求項６に記載のシステム。
【請求項１０】
前記１つ以上の切り替え可能な光学要素は、回折光学要素を備えている、請求項６に記載のシステム。
【請求項１１】
前記１つ以上の切り替え可能な光学要素は、反射要素を備えている、請求項６に記載のシステム。
【請求項１２】
前記１つ以上の切り替え可能な光学要素は、液晶を備えている液晶要素を備えている、請求項６に記載のシステム。
【請求項１３】
前記１つ以上の切り替え可能な光学要素は、コレステリック液晶（ＣＬＣ）を備えている、請求項６に記載のシステム。
【請求項１４】
前記１つ以上の切り替え可能な光学要素は、切り替え可能な偏光格子または切り替え可能なポリマー分散液晶要素を備えている、請求項６に記載のシステム。
【請求項１５】
前記可変屈折力反射体は、切り替え可能な光学要素のスタックを備え、前記切り替え可能な光学要素のうちの異なるものは、前記切り替え可能な光学要素のスタックが異なる屈折力間で切り替えをすることが可能であるように、異なる屈折力に関連付けられている、請求項１に記載のシステム。
【請求項１６】
前記可変屈折力反射体は、前記ディスプレイからの光を反射しながら、前記装着者の前方の世界からの光を透過させるように構成されている、請求項１に記載のシステム。
【請求項１７】
前記可変屈折力反射体は、前記ディスプレイからの光を反射しながら、前記装着者の前方の世界からの光を透過させるための波長選択的フィルタを含む、請求項１に記載のシステム。
【請求項１８】
前記可変屈折力反射体は、ノッチを含む透過スペクトルを有し、前記ノッチに対応する波長を有する光は、前記ノッチに隣接する波長より多く前記可変屈折力反射体から反射される、請求項１に記載のシステム。
【請求項１９】
前記ノッチに対応する波長は、前記ノッチに隣接する波長を有する光より少なくとも２倍多く反射される、請求項１８に記載のシステム。
【請求項２０】
前記ノッチに対応する波長は、前記ノッチに隣接する波長を有する光より少なくとも５倍多く反射される、請求項１８に記載のシステム。
【請求項２１】
前記ディスプレイは、前記ノッチ波長に対応する色を有するカラー光源を備えている、請求項１８に記載のシステム。
【請求項２２】
前記カラー光源の色は、赤色、緑色、または青色光に対応する、請求項２１に記載のシステム。
【請求項２３】
前記可変屈折力反射体は、前記ディスプレイからの光を反射しながら、前記装着者の前方の世界からの光を透過させるための１つ以上の偏光選択的フィルタを含む、請求項１に記載のシステム。
【請求項２４】
前記１つ以上の外部結合要素は、前記１つ以上の導波管から抽出された光を前記後方側と比較して前記１つ以上の導波管の前方側により多く導くように構成されている、請求項１に記載のシステム。
【請求項２５】
前記１つ以上の外部結合要素は、１つ以上のメタ表面、１つ以上の液晶偏光格子、１つ以上の体積位相ホログラム、または任意のそれらの組み合わせを備えている、請求項１に記載のシステム。
【請求項２６】
前記１つ以上の外部結合要素は、コレステリック液晶を備えている、請求項１に記載のシステム。
【請求項２７】
前記可変屈折力反射体と電気連通し、前記可変屈折力反射体を駆動する電子機器をさらに備え、前記電子機器は、前記屈折力を変化させ、異なる深度平面から生じているかのように異なる画像コンテンツを提示するように構成されている、請求項１に記載のシステム。
【請求項２８】
前記電子機器は、前記屈折力をフレーム毎に変化させるように構成されている、請求項２７に記載のシステム。
【請求項２９】
前記電子機器は、前記屈折力をピクセル毎に変化させるように構成されている、請求項２７に記載のシステム。
【請求項３０】
光再利用システムをさらに備え、前記光再利用システムは、前記１つ以上の導波管から前記１つ以上の導波管の後方側に向かって抽出された光を前記前方側に向け直すように構成され、それによって、前記光は、前記可変屈折力反射体上に入射し、前記装着者の前記眼に導かれることが可能である、請求項１に記載のシステム。
【請求項３１】
前記光再利用システムは、１つ以上の偏光制御要素または偏光選択的要素を備えている、請求項３０に記載のシステム。
【請求項３２】
前記光再利用システムは、前記１つ以上の導波管と前記眼との間に配置された偏光選択的反射体を備えている、請求項３０に記載のシステム。
【請求項３３】
前記光再利用システムは、前記１つ以上の導波管と前記偏光選択的反射体との間に配置された１つ以上のリターダを備えている、請求項３２に記載のシステム。
【請求項３４】
前記１つ以上の導波管と前記偏光選択的反射体との間に配置された前記１つ以上のリターダは、約半波の正味位相差を導入する、請求項３３に記載のシステム。
【請求項３５】
前記光再利用システムは、前記１つ以上の導波管と前記可変屈折力反射体との間に配置された１つ以上のリターダを備えている、請求項３０に記載のシステム。
【請求項３６】
前記１つ以上の導波管と前記可変屈折力反射体との間に配置された前記１つ以上のリターダは、約４分の１波の正味位相差を導入する、請求項３５に記載のシステム。
【手続補正２】
【補正対象書類名】明細書
【補正対象項目名】００７０
【補正方法】変更
【補正の内容】
【００７０】
実施形態６１：複数のノッチ反射体の各々に対応する半波長板をさらに備えている、実施形態５９または６０に記載のディスプレイデバイス。
本願明細書は、例えば、以下の項目も提供する。
（項目１）
ウェアラブル拡張現実頭部搭載型ディスプレイシステムであって、前記システムは、前記頭部搭載型システムを装着している装着者の前方の世界からの光を前記装着者の眼の中に通すように構成され、前記ウェアラブル拡張現実頭部搭載型ディスプレイシステムは、
画像を形成するための光を出力するように構成された光学ディスプレイと、
前記ディスプレイからの光を受け取るように配置された１つ以上の導波管と、
前記導波管を前記眼の前方に配置するように構成されたフレームであって、前記１つ以上の導波管は、前方側および後方側を有し、前記後方側は、前記前方側より前記眼に近い、フレームと、
前記１つ以上の導波管の前記前方側に配置された可変屈折力反射体であって、前記可変屈折力反射体は、電気信号の印加に応じて調節可能な屈折力を有するように構成されている、可変屈折力反射体と、
前記１つ以上の導波管に対して配置された１つ以上の外部結合要素と
を備え、
前記１つ以上の外部結合要素は、前記１つ以上の導波管からの光を抽出し、前記導波管内を伝搬する前記光の少なくとも一部を前記可変屈折力反射体に導き、前記光は、前記可変屈折力反射体から後方へ、前記導波管を通って前記眼の中に入るように導かれ、前記ディスプレイからの画像を前記装着者の前記眼の中に提示する、ウェアラブル拡張現実頭部搭載型ディスプレイシステム。
（項目２）
前記光学ディスプレイは、走査ファイバディスプレイまたは液晶ディスプレイを備えている、項目１に記載のシステム。
（項目３）
前記可変屈折力反射体は、調節可能形状を有する変形可能反射表面を備えている、項目１に記載のシステム。
（項目４）
前記可変屈折力反射体は、前記反射表面を変形させるための電場を印加するために、少なくとも１つの電極を含む、項目３に記載のシステム。
（項目５）
前記可変屈折力反射体は、窒化ケイ素を備えている、項目１に記載のシステム。
（項目６）
前記可変屈折力反射体は、２つの状態間で切り替えをするように構成された１つ以上の切り替え可能な光学要素を備えている、項目１に記載のシステム。
（項目７）
前記２つの状態は、反射の２つのレベルを含む、項目６に記載のシステム。
（項目８）
前記２つの状態は、屈折力の２つのレベルを含む、項目６に記載のシステム。
（項目９）
前記２つの状態は、透過の２つのレベルを含む、項目６に記載のシステム。
（項目１０）
前記１つ以上の切り替え可能な光学要素は、回折光学要素を備えている、項目６に記載のシステム。
（項目１１）
前記１つ以上の切り替え可能な光学要素は、反射要素を備えている、項目６に記載のシステム。
（項目１２）
前記１つ以上の切り替え可能な光学要素は、液晶を備えている液晶要素を備えている、項目６に記載のシステム。
（項目１３）
前記１つ以上の切り替え可能な光学要素は、コレステリック液晶（ＣＬＣ）を備えている、項目６に記載のシステム。
（項目１４）
前記１つ以上の切り替え可能な光学要素は、切り替え可能な偏光格子または切り替え可能なポリマー分散液晶要素を備えている、項目６に記載のシステム。
（項目１５）
前記可変屈折力反射体は、切り替え可能な光学要素のスタックを備え、前記切り替え可能な光学要素のうちの異なるものは、前記切り替え可能な光学要素のスタックが異なる屈折力間で切り替えをすることが可能であるように、異なる屈折力に関連付けられている、項目１に記載のシステム。
（項目１６）
前記可変屈折力反射体は、前記ディスプレイからの光を反射しながら、前記装着者の前方の世界からの光を透過させるように構成されている、項目１に記載のシステム。
（項目１７）
前記可変屈折力反射体は、前記ディスプレイからの光を反射しながら、前記装着者の前方の世界からの光を透過させるための波長選択的フィルタを含む、項目１に記載のシステム。
（項目１８）
前記可変屈折力反射体は、ノッチを含む透過スペクトルを有し、前記ノッチに対応する波長を有する光は、前記ノッチに隣接する波長より多く前記可変屈折力反射体から反射される、項目１に記載のシステム。
（項目１９）
前記ノッチに対応する波長は、前記ノッチに隣接する波長を有する光より少なくとも２倍多く反射される、項目１８に記載のシステム。
（項目２０）
前記ノッチに対応する波長は、前記ノッチに隣接する波長を有する光より少なくとも５倍多く反射される、項目１８に記載のシステム。
（項目２１）
前記ディスプレイは、前記ノッチ波長に対応する色を有するカラー光源を備えている、項目１８に記載のシステム。
（項目２２）
前記カラー光源の色は、赤色、緑色、または青色光に対応する、項目２１に記載のシステム。
（項目２３）
前記可変屈折力反射体は、前記ディスプレイからの光を反射しながら、前記装着者の前方の世界からの光を透過させるための１つ以上の偏光選択的フィルタを含む、項目１に記載のシステム。
（項目２４）
前記１つ以上の外部結合要素は、前記１つ以上の導波管から抽出された光を逆側と比較して前記１つ以上の導波管の前方側により多く導くように構成されている、項目１に記載のシステム。
（項目２５）
前記１つ以上の外部結合要素は、１つ以上のメタ表面、１つ以上の液晶偏光格子、１つ以上の体積位相ホログラム、または任意のそれらの組み合わせを備えている、項目１に記載のシステム。
（項目２６）
前記１つ以上の外部結合要素は、コレステリック液晶を備えている、項目１に記載のシステム。
（項目２７）
前記可変屈折力反射体と電気連通し、前記可変屈折力反射体を駆動する電子機器をさらに備え、前記電子機器は、前記屈折力を変化させ、異なる深度平面から生じているかのように異なる画像コンテンツを提示するように構成されている、項目１に記載のシステム。
（項目２８）
前記電子機器は、前記屈折力をフレーム毎に変化させるように構成されている、項目２７に記載のシステム。
（項目２９）
前記電子機器は、前記屈折力をピクセル毎に変化させるように構成されている、項目２７に記載のシステム。
（項目３０）
光再利用システムをさらに備え、前記光再利用システムは、前記１つ以上の導波管から前記１つ以上の導波管の後方側に向かって抽出された光を前記前方側に向け直すように構成され、それによって、前記光は、前記可変屈折力反射体上に入射し、前記装着者の前記眼に導かれることが可能である、項目１に記載のシステム。
（項目３１）
前記光再利用システムは、１つ以上の偏光制御要素または偏光選択的要素を備えている、項目３０に記載のシステム。
（項目３２）
前記光再利用システムは、前記１つ以上の導波管と前記眼との間に配置された偏光選択的反射体を備えている、項目３０に記載のシステム。
（項目３３）
前記光再利用システムは、前記１つ以上の光導波路と前記偏光選択的反射体との間に配置された１つ以上のリターダを備えている、項目３２に記載のシステム。
（項目３４）
前記１つ以上の光導波路と前記偏光反射体との間に配置された前記１つ以上のリターダは、約半波の正味位相差を導入する、項目３３に記載のシステム。
（項目３５）
前記再利用システムは、前記１つ以上の光導波路と前記可変屈折力反射体との間に配置された１つ以上のリターダを備えている、項目３０に記載のシステム。
（項目３６）
前記１つ以上の光導波路と前記可変屈折力反射体との間に配置された前記１つ以上のリターダは、約４分の１波の正味位相差を導入する、項目３５に記載のシステム。
（項目３７）
ディスプレイデバイスであって、前記ディスプレイデバイスは、
導波管であって、前記導波管は、全内部反射のもとで、前記導波管の主要表面と平行な方向に可視光を伝搬することと、前記主要表面と垂直な方向に前記可視光を外部結合することとを行うように構成されている、導波管と、
第１の偏光を有する可視光を反射するように構成された変形可能ミラーと
を備え、
前記変形可能ミラーは、ノッチ反射体または１つ以上のコレステリック液晶（ＣＬＣ）層のうちの少なくとも１つを備え、前記ＣＬＣ層の各々は、複数のキラル構造を備え、前記キラル構造の各々は、層深度方向に延びた複数の液晶分子を備え、前記複数の液晶分子は、第１の回転方向に連続的に回転させられており、前記キラル構造の前記液晶分子の配列は、前記層深度方向と垂直な横方向に周期的に変動し、それによって、前記１つ以上のＣＬＣ層は、入射光をブラッグ反射するように構成されている、ディスプレイデバイス。
（項目３８）
前記導波管は、前記可視光を前記変形可能ミラーに向かって選択的に外部結合するように構成されている、項目３７に記載のディスプレイデバイス。
（項目３９）
前記１つ以上のＣＬＣ層のうちの異なるものは、赤色、緑色、または青色光のうちの異なるものに対応する波長範囲における波長を有する可視光を反射するように構成され、一方で、前記波長範囲の外側における波長を有する光を透過させるように構成されている、項目３７に記載のディスプレイデバイス。
（項目４０）
前記ＣＬＣ層の前記キラル構造の各々は、少なくともある螺旋ピッチによって層深度方向に延びている複数の液晶分子を備え、前記１つ以上のＣＬＣ層のうちの異なるものは、異なる螺旋ピッチを有する、項目３７に記載のディスプレイデバイス。
（項目４１）
前記１つ以上のＣＬＣ層のうちの異なるものは、実質的に同一の屈折力を有する、項目３７に記載のディスプレイデバイス。
（項目４２）
前記ディスプレイデバイスは、複数のノッチ反射体を備え、前記ノッチ反射体の各々は、第１の偏光を有する可視光を反射するように構成され、前記ノッチ反射体の各々は、１つ以上のコレステリック液晶（ＣＬＣ）層を備え、前記ＣＬＣ層の各々は、複数のキラル構造を備え、前記キラル構造の各々は、層深度方向に延びた複数の液晶分子を備え、前記複数の液晶分子は、第１の回転方向に連続的に回転させられており、前記キラル構造の前記液晶分子の配列は、前記層深度方向と垂直な横方向に周期的に変動し、それによって、前記１つ以上のＣＬＣ層は、入射光をブラッグ反射するように構成されている、項目３７に記載のディスプレイデバイス。
（項目４３）
前記複数のノッチ反射体のうちの異なるものは、異なる屈折力を有する、項目４２に記載のディスプレイデバイス。
（項目４４）
前記複数のノッチ反射体の各々に対応する半波長板をさらに備えている、項目４２に記載のディスプレイデバイス。